【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
式ＶＩの単位を含むイオン性ポリマー。
【化１】
2013542313.tif 000001
（式中、
各ｂ＝０または１であり；
各Ｘは、独立して水素、１／ｚのモル等量において電荷ｚの金属イオン、プロトン化窒素塩基、または四置換有機アンモニウム化合物であり；
モル比ｑ：ｒ：ｓ：ｔ＝（９９．９９〜０．１）：（０〜９９．９）：（０〜９８）：（０〜３０）であり、この場合ｓ＋ｔは少なくとも１であり；
Ｒ１、Ｒ２、およびＲ３は、それぞれ独立して水素またはＣ１〜４アルキルであり；
Ｒ４、Ｒ５、Ｒ６、およびＲ７は、それぞれ独立して水素、Ｃ１〜４アルキルまたはＦであり、この場合Ｆはある特性を前記ポリマーＶＩに付与する官能基であり、Ｒ４、Ｒ５、Ｒ６、およびＲ７の少なくとも１つおよび２つ以下はＦであり、Ｆは各例において同じまたは異なり；
Ｇは、単結合またはＣ１〜３０ヒドロカルビル基であり；
ｔがゼロではない場合のｔの各例について、ｃ＝０〜５であり、ｄ＝０〜５であるが、ただしｃ＋ｄ＝１〜５であり、この場合ｃ中に存在するｑ、ｒおよびｓはｑ、ｒおよびｓのその他の値から独立している）
【請求項２】
Ｇが、単結合または０〜６個のオキシカルボニル基、０〜６個のアミノカルボニル基、もしくは前述の少なくとも１つを含む組み合わせで置換されたＣ１〜１２アルキル、０〜６個のオキシカルボニル基、０〜６個のアミノカルボニル基、もしくは前述の少なくとも１つを含む組み合わせで置換されたＣ２〜１２アルケニル、０〜６個のオキシカルボニル基、０〜６個のアミノカルボニル基、もしくは前述の少なくとも１つを含む組み合わせで置換されたＣ２〜１２アルキニル、０〜４個のオキシカルボニル基、０〜４個のアミノカルボニル基、もしくは前述の少なくとも１つを含む組み合わせで置換されたＣ３〜８シクロアルキル、０〜４個のオキシカルボニル基、０〜４個のアミノカルボニル基、もしくは前述の少なくとも１つを含む組み合わせで置換されたＣ３〜８ヘテロシクロアルキル、０〜６個のオキシカルボニル基、０〜６個のアミノカルボニル基、もしくは前述の少なくとも１つを含む組み合わせで置換されたＣ６〜１２アリール、０〜４個のオキシカルボニル基、０〜４個のアミノカルボニル基、もしくは前述の少なくとも１つを含む組み合わせで置換されたＣ４〜１２ヘテロアリール、０〜６個のオキシカルボニル基、０〜６個のアミノカルボニル基、もしくは前述の少なくとも１つを含む組み合わせで置換された、ｅ＝１〜１６であるＣ２〜２４（Ｃ１〜４アルキルオキシ）ｅ（Ｃ１〜４アルキル）基である、請求項１に記載のイオン性ポリマー。
【請求項３】
２５０〜３，０００，０００ｇ／モルの重量平均分子量を有する、請求項１または２に記載のイオン性ポリマー。
【請求項４】
請求項１に記載のイオン性ポリマーの調製方法であって、当該方法が、
塩基および式ＶＩＩのポリマーを、そのラクトンを少なくとも部分的に加水分解するのに効果的な条件下で接触させる工程、および
任意に、前記イオン性ポリマーと架橋剤とを当該イオン性ポリマーを架橋するのに効果的な条件下で接触させる工程、
を含む、イオン性ポリマーの調製方法。
【化２】
2013542313.tif 000002
（式中、
各ｂ＝０または１であり；
モル比ｕ：ｓ：ｔ＝（９９．９９〜２）：（０〜９８）：（０〜３０）であり、この場合ｓ＋ｔは少なくとも１であり、この場合ｃ中に存在するｕおよびｓはｕおよびｓのその他の値から独立しており；
Ｒ１、Ｒ２、およびＲ３は、それぞれ独立して水素またはＣ１〜４アルキルであり；
Ｇは、単結合またはＣ１〜３０ヒドロカルビル基であり；
Ｒ４、Ｒ５、Ｒ６、およびＲ７は、それぞれ独立して水素、Ｃ１〜４アルキルまたはＦであり、この場合Ｆはある特性を前記ポリマーＶＩに付与する官能基であり、Ｒ４、Ｒ５、Ｒ６、およびＲ７の少なくとも１つおよび２つ以下はＦであり、Ｆは各例において同じまたは異なり；
ｔがゼロではない場合のｔの各例について、ｃ＝０〜５であり、ｄ＝０〜５であるが、ただしｃ＋ｄ＝１〜５である）
【請求項５】
前記モル比ｑ：ｒ：ｓ＝（９９．９９〜０．１）：（０〜９９．８９）：（０．０１〜９８）であり、ｔ＝０である、請求項１に記載のイオン性ポリマー。
【請求項６】
請求項５に記載のイオン性ポリマーの調製方法であって、当該方法が、
塩基および式ＶＩＩａのポリマーを、そのラクトンを少なくとも部分的に加水分解するのに効果的な条件下で接触させる工程、および
任意に、前記イオン性ポリマーと架橋剤とを当該イオン性ポリマーを架橋するのに効果的な条件下で接触させる工程、
を含む、イオン性ポリマーの調製方法。
【化３】
2013542313.tif 000003
（式中、
各ｂ＝０または１であり；
モル比ｒ：ｓ＝（０．１〜９９．９）：（０．１〜９９．９）であり、；
Ｒ４、Ｒ５、Ｒ６、およびＲ７は、それぞれ独立して水素、Ｃ１〜４アルキルまたはＦであり、この場合Ｒ４、Ｒ５、Ｒ６、およびＲ７の少なくとも１つおよび２つ以下はＦであり、Ｆはある特性を前記ポリマーＶＩに付与する官能基であり、Ｆは各例において同じまたは異なる）
【請求項７】
前記モル比ｑ：ｒ：ｔ＝（９９．９９〜０．１）：（０〜９９．８９）：（０．０１〜３０）であり、ｓ＝０である、請求項１に記載のイオン性ポリマー。
【請求項８】
請求項７に記載のイオン性ポリマーの調製方法であって、当該方法が、
塩基および式ＶＩＩｂのポリマーを接触させる工程、および
任意に、前記イオン性ポリマーと架橋剤とを当該イオン性ポリマーを架橋するのに効果的な条件下で接触させる工程、
を含む、イオン性ポリマーの調製方法。
【化４】
2013542313.tif 000004
（式中、
各ｂ＝０または１であり；
モル比ｗ：ｔ＝（９９．９９〜７０）：（０．０１〜３０）であり；
Ｒ１、Ｒ２、およびＲ３は、それぞれ独立して水素またはＣ１〜４アルキルであり；
Ｇは、単結合またはＣ１〜３０ヒドロカルビル基であり；
ｔがゼロではない場合のｔの各例について、ｃ＝０〜５であり、ｄ＝０〜５であるが、ただしｃ＋ｄ＝１〜５であり、この場合ｃ中に存在するｑ、ｒおよびｓはｑ、ｒおよびｓのその他の値から独立している）
【請求項９】
少なくとも１つの請求項１，５もしくは７に記載のイオン性ポリマー、またはこのいずれかの組み合わせ；および
任意に乾燥剤、
を含む、バインダー−乾燥剤組成物。
【請求項１０】
請求項１，５もしくは７に記載のイオン性ポリマー、またはこのいずれかの組み合わせを含む、バインダー−収着性組成物。
【請求項１１】
収着剤をさらに含む、請求項１０に記載のバインダー−収着性組成物。
【請求項１２】
請求項１０または１１に記載のバインダー−収着性組成物を含む、体液吸収性物品。
【請求項１３】
液相中に存在する材料の凝集方法であって、
前記液相中の前記材料を、効果的な量の請求項１，５もしくは７に記載のイオン性ポリマーと、前記１つ以上の材料を凝集させるのに十分な時間接触させる工程を含む、方法。
【請求項１４】
前記液相中の前記材料が、溶液、懸濁液、コロイド、分散液、またはエマルションの形態である、請求項１３に記載の方法。
【請求項１５】
式ＶＩＩのポリマーの調製方法であって、当該方法が、
エチレン性不飽和ラクトンＩＩＩを、式ＶＩＩＩの架橋モノマー、もしくは式ＩＸのコモノマー、または式ＶＩＩＩの架橋モノマーおよび式ＩＸのコモノマーの１つまたは両方を含む組み合わせ、と重合させる工程を含む、ポリマーの調製方法。
【化５】
2013542313.tif 000005
（式中、
各ｂ＝０または１であり；
モル比ｕ：ｓ：ｔ＝（９９．９９〜２）：（０〜９８）：（０〜３０）であるが、ただしｓ＋ｔは少なくとも１であり、この場合ｃ中に存在するｕおよびｓはｕおよびｓのその他の値から独立し；
Ｒ１、Ｒ２、およびＲ３は、それぞれ独立して水素またはＣ１〜４アルキルであり；
Ｇは、単結合またはＣ１〜３０ヒドロカルビル基であり；
Ｒ４、Ｒ５、Ｒ６、およびＲ７は、それぞれ独立して水素、Ｃ１〜４アルキルまたはＦであり、この場合Ｆはある特性を前記ポリマーＶＩに付与する官能基であり、Ｒ４、Ｒ５、Ｒ６、およびＲ７の少なくとも１つおよび２つ以下はＦであり、Ｆは各例において同じまたは異なり；
ｔの各例についてｔがゼロでない場合、ｃ＝０〜５であり、ｄ＝０〜５であるが、ただしｃ＋ｄ＝１〜５である）
【化６】
2013542313.tif 000006
（式中、各ｂ＝０または１である）
【化７】
2013542313.tif 000007
（式中、
Ｒ１、Ｒ２、およびＲ３は、それぞれ独立して水素またはＣ１〜４アルキルであり；
Ｇは、単結合またはＣ１〜３０ヒドロカルビル基であり；
ｙ＝１〜５であり；
Ｒ４、Ｒ５、Ｒ６、およびＲ７は、それぞれ独立して水素、Ｃ１〜４アルキルまたはＦであり、この場合Ｆはある特性を前記ポリマーＶＩに付与する官能基であり、Ｒ４、Ｒ５、Ｒ６、およびＲ７の少なくとも１つおよび２つ以下はＦであり、Ｆは各例において同じまたは異なり、
前記架橋モノマーＶＩＩＩが、Ｎ，Ｎ’−（Ｃ１〜１２アルキル）ビス（メタ）アクリルアミド、Ｃ１〜１２ポリオールのジ−、トリ−、テトラ−、ペンタ−、またはヘキサ（メタ）アクリルエステル、Ｃ１〜２４アルキレンオキシドポリオールのジ−、トリ−、テトラ−、ペンタ−、またはヘキサ（メタ）アクリルエステル、２〜６個の末端不飽和を有するモノ−、ジ−、トリ−、テトラ−、または高級カルボン酸のモノ−、ジ−、トリ−、テトラ−、または高級ポリエステル、ジ−、トリ−、テトラ−、ペンタ−、またはヘキサ（メタ）アリル（Ｃ１〜１２アルカン）、ならびにジ−、トリ−、およびテトラビニル置換Ｃ６〜１２アリール化合物である）
【手続補正２】
【補正対象書類名】明細書
【補正対象項目名】０１３１
【補正方法】変更
【補正の内容】
【０１３１】
あるいは、イオン性ポリマーＩ、ＶＩ、ＶＩａ、ＶＩｂ、または対応する後架橋イオン性ポリマーを用い、バインダー成分、および収着剤成分として、イオン性ポリマーＩ、ＶＩ、ＶＩａ、ＶＩｂ、または対応する後架橋イオン性ポリマーを含むバインダー−収着性組成物を与えることができる。例となる収着剤としては、金属、非金属、または無機化合物のような無機固体、および有機固体が挙げられる。前述の少なくとも１つを含む組み合わせを用いることができる。無機固体または有機固体は、多孔性であってもよい。代表的な無機化合物としては、酸化物、水酸化物、炭酸塩、ケイ酸塩、リン酸塩、硫酸塩、およびハロゲン化物が挙げられる。代表的な酸化物としては、例えば、多孔性酸化アルミニウムのような、アルミニウム、マグネシウム、シリコン、チタン、またはジルコニウムの酸化物が挙げられる。前記ケイ酸塩は、ヒュームドシリカ、珪藻土、CELITE（登録商標）、滑石、FLORISIL（登録商標）のようなケイ酸マグネシウム、モレキュラーシーブのようなゼオライト、カオリンのようなクレー、モンモリロナイト、有機変性モンモリロナイト、ベントナイト、またはフラー土であってもよい。有用な収着特性を有する他の無機固体としては、例えば、ヒドロキシアパタイト、黒鉛、および活性炭が挙げられる。
【手続補正３】
【補正対象書類名】明細書
【補正対象項目名】０１３６
【補正方法】変更
【補正の内容】
【０１３６】
前記バインダー−収着性組成物は、例えば、不透明な培養液またはホモジェネートからのタンパク質回収に有用な固定収着剤を与えることができる。例えば、前記バインダー−収着性組成物は、細胞全体、細胞破片、または高分子沈殿物のような望ましくないコロイド状固体を排除しながら、所望の材料の拡散を可能にする非ファウリングバリア特性を与えることができる。